(57)【要約】      （修正有）【課題】搬送や陳列あるいは未使用時には折り畳んでコンパクトな状態でスペースをとらずに置いておくことができ、また、特殊加工された素材で成形し、二つを用いて被冠状態とすれば資料の長期保存にも適合するファイルボックスを提供する。【解決手段】上面と、その上面から続く前面をテーパ状に開口したファイルボックスにおいて、前壁面の上縁に、前記した開口内幅と合致した幅を有する可動片７を折り曲げ自在に一体連結し、その可動片は、さらに途中で折り曲げ自在とされ、底面内部を覆う覆い片８とされていることとし、前記覆い片の先端には挿し込み片が突設され、その挿し込み片は底面後端の挿し込み孔に挿し込まれ、位置決め固定されることとする。【選択図】図１
0003163277.tif 000002
【実用新案登録請求の範囲】
【請求項１】
上面と、その上面から続く前面をテーパ状に開口したファイルボックスにおいて、前壁面の上縁に、前記した開口内幅と合致した幅を有する可動片を折り曲げ自在に一体連結し、その可動片は、さらに途中で折り曲げ自在とされ、底面内部を覆う覆い片とされていることを特徴とするファイルボックス。
【請求項２】
前記した覆い片の先端には挿し込み片が突設され、その挿し込み片は底面後端の挿し込み孔に挿し込まれ、位置決め固定されることを特徴とする請求項１に記載のファイルボックス。
【請求項３】
前記した底面は前縁と後縁から略三角形状の抑えフラップが突設され、左右からは相互に係合する底面フラップが突設されて、抑えフラップと重合されるものとし、その重合を解除することで、全体が折り畳み可能とされていることを特徴とする請求項１から２のうち１項に記載のファイルボックス。
【請求項４】
前記した底面フラップの基端は斜方向に折り曲げ可能とされ、抑えフラップの底外面に一体に貼着されていることを特徴とする請求項３に記載のファイルボックス。
【請求項５】
素材の厚さ分サイズを異ならしめた相似形の第二のファイルボックスを用意し、その第二のファイルボックスを前記した開口に被冠することで、密閉ボックスとすることを特徴とする請求項１から４のうち１項に記載のファイルボックス。
【考案の詳細な説明】
【技術分野】
【０００１】
本考案はファイルボックス、特にオフィスや家庭内にあって各種書類、新聞、雑誌等々を挿し入れ、整理しておくためのファイルボックスに関する。
【背景技術】
【０００２】
従来、上記したファイルボックスは上面から前面に掛けて開口された構造となっており、その形状は定形化、固形化されたものとなっており、このファイルボックス自体を商品として搬送したり、店頭に陳列したりするには、嵩張って、多くの空間を占領してしまうものとなっていた。
【０００３】
また、従来のファイルボックスは、製造過程で一定のサイズで量産されるため、使用時には単品として、あるいは複数個を並設する形態に限られてしまう。かかる使用形態となっているので、長期的に保存しておく資料等の収納には当初から適合するものではなかった。
【先行技術文献】
【特許文献】
【０００４】
出願人は、本願考案について先行する技術文献を調査したが、格別に、本願考案と関連し、類似すると思われる文献は発見できなかった。
【考案の概要】
【考案が解決しようとする課題】
【０００５】
本願考案が解決しようとする問題点は、従来のファイルボックスは形状が特定化されているため、搬送や陳列時に嵩張ってしまい、多くのスペースを必要としてしまうものであり、また、その使用目的も単に書類等の挿し入れ、整理に限られてしまい、長期的保存には適合し得ないものであったという点である。
【課題を解決するための手段】
【０００６】
上記した問題点を解決するために、本考案に係るファイルボックスは上面と、その上面から続く前面をテーパ状に開口したファイルボックスにおいて、前壁面の上縁に、前記した開口内幅と合致した幅を有する可動片を折り曲げ自在に一体連結し、その可動片は、さらに途中で折り曲げ自在とされ、底面内部を覆う覆い片とされていることを特徴とし、前記した覆い片の先端には挿し込み片が突設され、その挿し込み片は底面後端の挿し込み孔に挿し込まれ、位置決め固定されることを特徴としている。
【０００７】
また、本考案に係るファイルボックスは前記した底面は前縁と後縁から略三角形状の抑えフラップが突設され、左右からは相互に係合する底面フラップが突設されて、抑えフラップと重合されるものとし、その重合を解除することで、全体が折り畳み可能とされていることを特徴とし、前記した底面フラップの基端は斜方向に折り曲げ可能とされ、抑えフラップの底外面に一体に貼着されていることを特徴とし、素材の厚さ分サイズを異ならしめた相似形の第二のファイルボックスを用意し、その第二のファイルボックスを前記した開口に被冠することで、密閉ボックスとすることを特徴としている。
【考案の効果】
【０００８】
本考案に係るファイルボックスは上記のように構成されている。そのため、搬送や陳列あるいは未使用時には折り畳んでコンパクトな状態でスペースをとらずに置いておくことができ、また、特殊加工された素材で成形し、二つを用いて被冠状態とすれば資料の長期保存にも適合する。なお、この被冠状態での使用は、特殊な素材に限ることなく実施可能で蓋付きの密閉ボックスとして対応できる。
【図面の簡単な説明】
【０００９】
【図１】本考案を実施したファイルボックスを示し、可動片を一部内部に入れた状態の斜視図である。
【図２】可動片を外部に出した状態の斜視図である。
【図３】底面図である。
【図４】折り畳み開始状態の底面から見た斜視図である。
【図５】側面から見た斜視図である。
【図６】使用状態を示す斜視図である。
【図７】展開図である。
【考案を実施するための形態】
【００１０】
図面として示し、実施例で説明したように構成したことで実現した。
【実施例１】
【００１１】
次に、本考案の好ましい実施の一例を図面を参照して説明する。図にあって１は本考案に係るファイルボックスを示している。このファイルボックス１は、本実施例にあって、ケミカルパイプを１００％使用し、炭酸カルシウムを添加し、弱アルカリ性とした段ボールを素材とし、その素材の段ボールを型抜きし、折り曲げ、部分接着して成形されている。しかしながら、この素材には特にこだわるものではなく、一般的に段ボール、厚紙、あるいはプラスチック等の素材によっても成形可能である。
【００１２】
このファイルボックス１は所定の間隔を隔てて一対の相対向する、略五角形をした側板２、２ａを有し、その側板２、２ａの後縁を一体に連結する背板３を備え、前縁は片方の側板２の前方を屈曲させ、他方の側板２ａの前方の屈曲片２ｂを重合接着した前板４を備えている。また、背板３の上端縁は内側に屈曲重合接着された補強板３ａを備えている。そして、この両側板２、２ａ、背板３、及び前板４によって、目的物を出入させるための開口が形成されている。
【００１３】
前記した各側板２、２ａの下縁には各々方向性を変えて、同形の底面フラップ５、５ａが一体に備えられており、この各底面フラップ５、５ａは内方に向けて略直角に屈曲される。この各底面フラップ５、５ａは遊端部に突片５ｂと、切り欠き５ｃが形成され、相互に突片５ｂが切り欠き５ｃに係合して重合され、底面を組み立て形成することとなる。
【００１４】
一方、背板３の下縁と前板４の下縁には各々略不等辺三角形とした抑えフラップ６、６ａが一体に備えられており、前記した底面フラップ５、５ａの基端５ｄ、５ｅは斜方向に折り曲げ可能とされており、底面フラップ５の基端５ｄは前板４の抑えフラップ６ａの外側に、底面フラップ５ａの基端５ｅは抑えフラップ６の外側に接着されている。この構成によって、このファイルボックス１は底面フラップ５、５ａの係合を解除することで全体を平行四辺形状に折り畳むことが可能となっている。
【００１５】
さらに、前記した前板４の上縁には開口の内幅と外幅を一致させた可動片７が折り曲げ自在に一体連結されており、この可動片７は前板４と長さを一致させ、内側へ折り込んだ際に前板４の内面と密に重合され、補強効果も有するものとなっている。また、この可動片７は一縁に切り欠き７ａを形成してあるが、この切り欠き７ａは、前板４と重合させた際に屈曲片２ｂとの重なりを回避するためのものである。
【００１６】
また、この可動片７の先端には折り込まれて、底面を覆う覆い片８が一体に備えられている。この覆い片８の先端には位置決め用の係合突片８ａが設けられており、この覆い片８が底面を覆う時に、この係合突片８ａを背板３の下端に形成された係合孔３ｂに挿し込み、位置決めする。この覆い片８は底面に底面フラップ５、５ａの係合による段差が生じるので、それを矯正するためのもので、加えて、補強効果も発揮する。
【００１７】
さらに、このファイルボックス１は使用状態とした時に、素材の厚さ分、サイズを大きくしたり、小さくした第二のファイルボックスも用意すると、その第二のファイルボックスで開口を相互に被冠することができ、密閉型のボックスとすることもできる。
【産業上の利用可能性】
【００１８】
本実施例に係るファイルボックス１は上記のように構成されている。この実施例では、縦型とし、書類を縦に差し入れる構成としてあるが、これは、縦寸法を短くし、前後方向を長くした横型とすることも勿論可能である。
【符号の説明】
【００１９】
１    ファイルボックス
２    側板
２ａ  側板
２ｂ  屈曲片
３    背板
３ａ  補強板
３ｂ  係合孔
４    前板
５    底面フラップ
５ａ  底面フラップ
５ｂ  突片
５ｃ  切り欠き
５ｄ  基端
５ｅ  基端
６    抑えフラップ
６ａ  抑えフラップ
７    可動片
７ａ  切り欠き
８    覆い片
８ａ  係合突片
【図１】
0003163277.tif 000003
【図２】
0003163277.tif 000004
【図３】
0003163277.tif 000005
【図４】
0003163277.tif 000006
【図５】
0003163277.tif 000007
【図６】
0003163277.tif 000008
【図７】
0003163277.tif 000009